(57)【要約】【課題】建築物の壁面に露出して配線される導線を保持しかつ被覆する配線具の構造において、取付作業のバラツキや床面に不陸があっても、床面との間の隙間発生を防止し、外観を損ねることがないと共に埃やゴミの溜まりを無くす。【解決手段】壁面に固定される垂直な基板の前側に配線スペースとカバー受け片を設けたベースと、カバー受け片によりベースの前面で着脱自在に支持されるカバーとからなり、ベース又はカバーの下部に床面との間隙を遮断する軟質材を形成する。更に床面との間の隙間発生をより確実に防止するためには、ベース下部にカバー下部を枢支することによりカバーがベースに対し起倒自在に形成し、ベースの前方に傾いて開いた状態のカバーがベースに向かい起き上がる動作に連動して軟質材が床面に圧接せしめる。【選択図】        図１
2004173365.tif 000002
【特許請求の範囲】
【請求項１】
建築物の壁面に露出して配線される導線を保持しかつ被覆する配線具の構造において、壁面に固定される垂直な基板の前側に配線スペースとカバー受け片を設けたベースと、カバー受け片によりベースの前面で着脱自在に支持されるカバーとからなり、ベース又はカバーの下部に床面との間隙を遮断する軟質材を形成したことを特徴とする配線具の構造。
【請求項２】
ベースの配線スペースが２以上に区画して形成されたことを特徴とする請求項１記載の配線具の構造。
【請求項３】
ベース下部にカバー下部を枢支することによりカバーがベースに対し起倒自在に形成され、ベースの前方に傾いて開いた状態のカバーがベースに向かい起き上がる動作に連動して軟質材が床面に圧接されることを特徴とする請求項１又は２記載の配線具の構造。
【発明の詳細な説明】
【０００１】
【発明の属する技術分野】
本発明は、建築物の屋内壁表面に露出した配線を保持し被覆し、外観が良好で、配線作業の作業性に優れる配線具の構造に関する。
【０００２】
【従来の技術】
近年、家庭にコンピュータやファクシミリ等が普及し、また家電製品も非常に多くなってきている。そのため、設置したコンセントが不足した場合や、あるいは設置したコンセントがあっても、家具を置いたり、間取りの変更などにより、このコンセントが使用できなくなった場合には、従来、延長コードなどを用いて、たこ足配線して対応するか、あるいはコンセントの増設や移動を、電気工事店等の専門業者に依頼している。
【０００３】
しかしながら、たこ足配線は火災等を生じる危険がある。また、専門業者に依頼して工事してもらうのは、工事に取り掛かるまでに通常時間を要するし、工事費用もかかり、しかも工事を行うに際して、壁紙の貼り直しなどの補修工事が付随するという問題がある。
【０００４】
このような問題を解決するため、図４に示すように、居室の巾木、廻り縁、扉枠などの細長部材を配線スペースとして使用し、細長の配線スペースボックスａとプラグ、ソケット、コネクタ等接続部材ｂを具えたアウトレットユニットｃを組合わせて構成する配線具の構造が提案されている。（例えば、特開平９−２４７８２８号）
【０００５】
【発明が解決しようとする課題】
しかし、このような配線具の構造では、配線スペースボックスａを壁面に接着やビスで固定する際に、取付作業のバラツキにより、配線スペースボックスａと床面間に隙間が生じ易く、外観を損なったり、ほこりやゴミが溜まるという問題がある。このような問題を解決するために、取付作業を標準化したり、各種の冶工具の考案により隙間の発生を防止する努力がなされているが、床面に不陸を生じている場合には、隙間の発生が不可避となる。
【０００６】
本発明は、以上のような問題点に鑑み案出なされたもので、床面との間の隙間発生を防止し、良好な外観を維持しうる配線具の構造を提供することを目的としている。
【０００７】
【課題を解決するための手段】
本発明のうち請求項１記載の発明は建築物の壁面に露出して配線される導線を保持しかつ被覆する配線具の構造において、壁面に固定される垂直な基板の前側に配線スペースとカバー受け片を設けたベースと、カバー受け片によりベースの前面で着脱自在に支持されるカバーとからなり、ベース又はカバーの下部に床面との間隙を遮断する軟質材を形成したことを特徴としている。
【０００８】
また請求項２記載の発明は、ベースの配線スペースが２以上に区画して形成されたことを特徴とし、更に請求項３記載の発明は、ベース下部にカバー下部を枢支することによりカバーがベースに対し起倒自在に形成され、ベースの前方に傾いて開いた状態のカバーがベースに向かい起き上がる動作に連動して軟質材が床面に圧接されるされることを特徴としている。
【０００９】
【発明の実施の形態】
以下本発明の実施の一形態を図面に基づき説明する。
本実施形態の配線具の構造は、壁面Ｗに固定されるベース６と、該ベース６の前面で着脱自在に支持されるカバー７とからなり、図１（ａ）乃至（ｄ）は、配線作業を行う工程を順次示すものである。
【００１０】
前記ベース６は、壁面Ｗに固定される垂直な基板３と、その上下端で水平に折れ曲がるカバー受け片５Ｕ、５Ｌ、及びその中間で基板３から前方に延びる上位の仕切板２１と下板２２とからなる。
【００１１】
仕切板２１は、ベース６の配線スペース４を上部の配線スペース４Ｕと下部の配線スペース４Ｌに区分する。配線スペース４Ｕには例えば、電話配線、パソコン用情報配線、インターフォン等家庭内情報配線、アンテナ配線等の情報用導線２Ｕが配線され、配線スペース４Ｌには１００Ｖの動力用導線２Ｌを配線する。このようにベース６の配線スペース４を区分することにより、種類の異なる導線２を区分して配線でき、配線時の作業性を向上し、特にメンテナンス作業の能率を良好とする。又本実施形態では、配線スペース４を２つに区画した配線具の構造を例示したが、３以上に区画することもできる。
【００１２】
ベース６は、鉄、ステンレス、プラスチック等で一体に形成されるものであり、カバー受け片５Ｕ、５Ｌ、及び仕切板２１、下板２２が基板３に対するリブの機能を果たし、特に長手方向の曲げ変形に対する補強がなされる。
【００１３】
ベース６は、下板２２から更に下方に突出した脚片２３の下端を床面Ｆに当接した位置で、カバー受け片５Ｕと仕切板２１間の基板３に嵌挿したビス、釘等の固着具２４を壁面Ｗに打ち込んで固定する。本実施形態では、固着具２４による固定を例示したが、接着剤の使用や専用ブラケットを使用してベース６を固定することも出来る。
【００１４】
前記カバー７は、中位に湾曲溝２５、段２６を具え、上端で逆Ｕ字状に折れ曲がった支持部２７を有する本体２８と、その下端で延びる舌状の軟質材１からなる。軟質材１はゴム、スポンジ、軟質プラスチック等で形成される。
【００１５】
前記本体２８は、ロール成形装置を用いて鉄板を成形する他、プラスチック材料を使用した押し出し成形等で形成される。硬質プラスチックから成る本体２８と軟質プラスチックから成る軟質材１を同時に押出して成形すると生産性、外観性を高めることができ、同時に本体８と軟質材１の一体性が得られる。湾曲溝２５、段２６、及び支持部２７は、本体２８に対しリブの機能を果たし、特に長手方向の曲げ変形に対する補強がなされる。本体２８の大きさは高さ３０〜１００ｍｍ、奥行き１０〜４０ｍｍとし、壁面Ｗに装着される巾木、窓額縁等の装飾材に連続して取り付ける際には、その大きさに合わせると外観を維持できる。長さは設置の条件に応じて適宜切断して使用される。
【００１６】
本体２８の湾曲溝２５の裏側にベース６のカバー受け片５Ｕに向合う係合片２９Ｕを、本体２８の下部にベース６のカバー受け片５Ｌに向合う係合片２９Ｌを各々突設する。
【００１７】
本実施形態の配線具の構造による配線作業は、次の通りである。先ず図１（ａ）に示すように、脚片２３の下端を床面Ｆに当接した位置で、固着具２４を壁面Ｗに打ち込んでベース６を固定する。
【００１８】
次いで図１（ｂ）に示すように、上下の配線スペース４Ｕ、４Ｌに各々情報用導線２Ｕ、動力用導線２Ｌを配置する。この時仕切板２１、下板２２の前端から立上がる支持板３０Ｕ、３０Ｌが導線２を仮支持して配線スペース４からの脱落を防止し、配線作業の能率を向上する。
【００１９】
次いで図１（ｃ）に示すように、ベース６のカバー受け片５Ｌにカバー７の係合片２９Ｌを載置し、カバー受け片５Ｌの先端で立上がる突片３１と係合片２９Ｌの先端で下方に折れ曲る垂片３２の係合部分を回転の支持軸として、前方に傾斜したカバー７の上部をベース６側に立て起こす。
【００２０】
そして図１（ｄ）に示すように、本体２８の支持部２７の後面が壁面Ｗに当接するまでカバー７を立て起こすと、ベース６のカバー受け片５Ｕの先端下方に突出した係合爪３３にカバー７の係合片２９Ｕの係止爪３４が係合し、カバー７が壁面Ｗに固定されたベース６に装着される。
【００２１】
前記のようにベース６にカバー７が装着された状態において、カバー７の軟質材１はベース６のカバー受け片５Ｌと床面Ｆ間の間隙Ｇに垂下し、その下端は床面Ｆに至る。ベース６の取付作業の誤差、床面Ｆの不陸等の原因で上記間隙Ｇの開口高さが部分によって変化しても、これを軟質材１の変形性が吸収する。これにより、カバー７の軟質材１と床面Ｆ間で隙間が発生せず、外観を損ねることがないと共に埃やゴミが溜まることがない。
【００２２】
また、図１（ｃ）乃至（ｄ）に示すように、前方に傾斜したカバー７の上部をベース６側に立て起こす際、回転の中心となるカバー受け片５Ｌと係合片２９Ｌの係合部分よりも下位に位置する軟質材１は、カバー７が起き上がる動作に連動してその先端が床面Ｆに圧接される。これにより、別途作業を要することなく、カバー７と床面Ｆの隙間を確実に防止でき、更に作業性も良好とする。
【００２３】
前記のようにベース６にカバー７が装着された状態において、ベース６の支持板３０Ｕ、３０Ｌはカバー７の本体２８に当接する位置に形成してあり、裏面からカバー７を支持することにより、外力による本体２８の破損を防止し、併せて熱による反り等本体２８の変形を防止しう点で好ましい。
【００２４】
配線を変更・増設したり、トラブル時に配線状態をチェックする際には、カバー７の上部又は下部を手前に引っ張ると、本体２８の弾性変形によりカバー受け片５Ｕと係合片２９Ｕの係合又はカバー受け片５Ｌと係合片２９Ｌの係合が外れカバー７がベース６から離脱する。この状態で配線スペース４内の導線２に対し必要な作業を行う。
【００２５】
図２は異なる実施形態を示し、ベース６の基板３の下部から前方に延びるカバー受け片５Ｌの前端に、カバー７の本体３６の下端を起倒自在に連結している。本実施形態では、カバー受け片５Ｌの前端と本体３６の下端を軟質材１の上部を介して連結することにより、該軟質材１の変形性でカバー７を起倒自在としているが、カバー受け片５Ｌの前端と本体３６の下端を機械的に蝶着することもできる。このように本実施形態では、ベース６とカバー７の連結一体化により、配線に使用する部品が一つに集約でき作業を一層効率化しうる。
【００２６】
ベース６とカバー７を連結する構成以外は、前記図１の実施形態と実質的に同構成である。又作業手順も略同じであり、図２（ａ）に示すように、固着具３７を壁面Ｗに打ち込んで固定したベース６の上下の配線スペース４Ｕ、４Ｌに各々情報用導線２Ｕ、動力用導線２Ｌを配置する。次に軟質材１を介してカバー受け片５Ｌの前端と本体３６の下端を連結した部分を回転軸として、前方に傾斜したカバー７の上部をベース６側に立て起こし、図２（ｂ）に示すように、ベース６のカバー受け片５Ｕの先端下方に突出した係合爪３７にカバー７の係合片３８の係止爪３９が係合し、カバー７が壁面Ｗに固定されたベース６に装着される。このとき、回転軸となるカバー受け片５Ｌの前端と本体３６の下端を連結した部分よりも下位に位置する軟質材１は、カバー７が起き上がる動作に連動してその先端が床面Ｆに圧接された状態でカバー受け片５Ｌと床面Ｆ間の間隙Ｇに垂下し、その下端は床面Ｆに至り、隙間発生を防止する。
【００２７】
図３は更に異なる実施形態を示し、下部に軟質材１を介して受具３９を連設したベース６と、該ベース６の前面で着脱自在に支持されるカバー７とからなる。
【００２８】
受具３９は底板４０とその前端で立上がる前リブ４１から成り、その後端で軟質材１に連続する。そして、受具３９の前リブ４１がカバー７下端の前側に当接してカバー７と床面Ｆの間隙Ｇを被覆する。ベース６の取付位置の誤差、床面Ｆの不陸等が原因で上記間隙Ｇの開口高さが部分によって変化しても、軟質材１の変形性がこれを吸収するため、受具３９の底板４０は床面Ｆに対し隙間なく位置し、これにより、カバー７の下部には、受具３９を介在して、床面Ｆとの間に隙間が発生することがなく、外観の毀損を防止すると共に埃やゴミが溜まることがない。
【００２９】
本実施形態による作業手順は、先ず図３（ａ）に示すように、固着具４２を壁面Ｗに打ち込んでベース６を固定する。次に図３（ｂ）に示すように、上下の配線スペース４Ｕ、４Ｌに、各々情報用導線２Ｕ、動力用導線２Ｌを配置し、図３（ｃ）に示すように、受具３９の前リブ４１上端に、前方に傾斜した姿勢のカバー７の下端を載置し、その接点を回転軸として、カバー７の上部をベース６側に立て起こす。
【００３０】
そして図３（ｄ）に示すように、垂直な状態までカバー７を立て起こすと、カバー７の係合片４１Ｕが、ベース６の基板３から水平に延びるリブ状のカバー受け片５Ｕ１に下方から支持される。同時にベース６の基板３上端を前方に逆Ｕ字状に延長して形成したカバー受け片５Ｕ２の先端に、カバー７の係合片４１Ｕが係合する共に、ベース６の基板３下位に具えたカバー受け片５Ｌにカバー７の係合片４１Ｌが係合し、カバー７が壁面Ｗに固定されたベース６に装着される。
【００３１】
【発明の効果】
以上説明したように、本発明では、ベースの取付作業の誤差、床面の不陸等の原因で、ベース又はカバーと床面の間隙の開口高さが部分によって変化しても、軟質材の変形性がこれを吸収して、床面との間に隙間の発生を防止しえ、外観を損ねることがないと共に埃やゴミが溜まることがない。
【００３２】
また請求項２記載の発明では、ベースの配線スペースが２以上に区画して形成されており、種類の異なる導線を区分して配線でき、配線時の作業性を向上し、特にメンテナンス作業の能率を良好とする。
【００３３】
また請求項３記載の発明では、ベースの前方に傾いて開いた状態のカバーがベースに向かい起き上がる動作に連動して軟質材が床面に圧接されるので、カバーと床面の隙間を確実に防止でき、更に作業性も良好とする。
【図面の簡単な説明】
【図１】本発明の一実施形態における作業工程を示す断面図である。
【図２】本発明の異なる実施形態の作業工程を示す断面図である。
【図３】本発明の更に異なる実施形態の作業工程を示す断面図である。
【符号の説明】
Ｆ    床面
Ｇ    間隙
Ｗ    壁面
１    軟質材
２    導線
３    基板
４    配線スペース
５    カバー受け片
６    ベース
７    カバー
【図１】
2004173365.tif 000003
【図２】
2004173365.tif 000004
【図３】
2004173365.tif 000005